(57)【要約】      （修正有）【課題】ワンタッチキーに割り当てられていない放送局（またはサービス）への選局およびワンタッチキーへの放送局（または、サービス）の割り当てを容易にする受信装置、情報処理方法及びプログラムを提供する。【解決手段】受信装置１０は、放送波を受信する受信部１０２と、受信するサービスを識別するサービスＩＤと、そのうちのいずれかのサービスを選択する操作キーを識別するキーＩＤとを対応付けて記憶する記憶部１２０と、サービスを表示し、表示中のサービスを選択する操作キーが操作された場合に、操作キーを識別するキーＩＤに対応付けられたサービスの一覧を表示する表示部１１８と、サービスの一覧から選択されたサービスを選局する選局部１１５と、サービスの一覧から選択されたサービスを識別するサービスＩＤと、ワンタッチキーを識別するワンタッチキーＩＤとを対応付ける制御部１１７と、を備える。【選択図】図２
2017038220.tif 000002
【特許請求の範囲】
【請求項１】
放送波を受信する受信部と、
前記受信部が受信するサービスを識別するサービスＩＤと、前記受信部が受信するサービスのうちのいずれかのサービスを選択する操作キーを識別するキーＩＤとを対応付けて記憶する記憶部と、
前記サービスを表示し、表示中の前記サービスを選択する前記操作キーが操作された場合に、前記操作キーを識別する前記キーＩＤに対応付けられた前記サービスの一覧を表示する表示部と、
前記サービスの一覧から選択された前記サービスを選局する選局部と、
前記サービスの一覧から選択された前記サービスを識別するサービスＩＤと、ワンタッチキーを識別するワンタッチキーＩＤとを対応付ける制御部と、
を備えることを特徴とする、受信装置。
【請求項２】
放送波を受信する受信部と、
前記受信部が受信するサービスを識別するサービスＩＤと、前記受信部が受信するサービスのうちのいずれかのサービスを選択する操作キーを識別するキーＩＤと、同一の前記キーＩＤに対応付けられた複数の前記サービスにおける前記サービスの優先順位と、を対応付けて記憶する記憶部と、
前記サービスを表示し、表示中の前記サービスの放送種別を選択する放送種別選択キーが操作された場合に、前記優先順位に基づいて前記サービスの一覧を表示する表示部と、
前記サービスの一覧から選択された前記サービスを選局する選局部と、
前記サービスの一覧から選択された前記サービスを識別するサービスＩＤと、ワンタッチキーを識別するワンタッチキーＩＤとを対応付ける制御部と、
を備えることを特徴とする、受信装置。
【請求項３】
前記表示部は、新規に追加されたサービスか否かを識別可能に前記サービスの一覧を表示する、
ことを特徴とする、請求項１または請求項２に記載の受信装置。
【請求項４】
前記制御部は、番組構成情報であるＮＩＴに含まれるＲｅｍｏｔｅ＿Ｃｏｎｔｒｏｌ＿Ｋｅｙ＿ＩＤの値から取得する前記キーＩＤを前記記憶部に記憶させる、
ことを特徴とする、請求項１または請求項２に記載の受信装置。
【請求項５】
前記表示部は、前記放送種別選択キーが操作される毎に、前記優先順位の高いサービスから低いサービスへ、前記サービスの一覧を切り替える、
ことを特徴とする、請求項２に記載の受信装置。
【請求項６】
放送波を受信する受信ステップと、
前記受信ステップにおいて受信するサービスを識別するサービスＩＤと、前記受信ステップにおいて受信するサービスのうちのいずれかのサービスを選択する操作キーを識別するキーＩＤとを対応付けて記憶する記憶ステップと、
前記サービスを表示し、表示中の前記サービスを選択する前記操作キーが操作された場合に、前記操作キーを識別する前記キーＩＤに対応付けられた前記サービスの一覧を表示する表示ステップと、
前記サービスの一覧から選択された前記サービスを選局する選局ステップと、
前記サービスの一覧から選択された前記サービスを識別するサービスＩＤと、ワンタッチキーを識別するワンタッチキーＩＤとを対応付ける制御ステップと、
を有することを特徴とする、情報処理方法。
【請求項７】
放送波を受信する受信ステップと、
前記受信ステップにおいて受信するサービスを識別するサービスＩＤと、前記受信ステップにおいて受信するサービスのうちのいずれかのサービスを選択する操作キーを識別するキーＩＤと、同一の前記キーＩＤに対応付けられた複数の前記サービスにおける前記サービスの優先順位と、を対応付けて記憶する記憶ステップと、
前記サービスを表示し、表示中の前記サービスの放送種別を選択する放送種別選択キーが操作された場合に、前記優先順位に基づいて前記サービスの一覧を表示する表示ステップと、
前記サービスの一覧から選択された前記サービスを選局する選局ステップと、
前記サービスの一覧から選択された前記サービスを識別するサービスＩＤと、ワンタッチキーを識別するワンタッチキーＩＤとを対応付ける制御ステップと、
を有することを特徴とする、情報処理方法。
【請求項８】
コンピュータに、
放送波を受信する受信ステップと、
前記受信ステップにおいて受信するサービスを識別するサービスＩＤと、前記受信ステップにおいて受信するサービスのうちのいずれかのサービスを選択する操作キーを識別するキーＩＤとを対応付けて記憶する記憶ステップと、
前記サービスを表示し、表示中の前記サービスを選択する前記操作キーが操作された場合に、前記操作キーを識別する前記キーＩＤに対応付けられた前記サービスの一覧を表示する表示ステップと、
前記サービスの一覧から選択された前記サービスを選局する選局ステップと、
前記サービスの一覧から選択された前記サービスを識別するサービスＩＤと、ワンタッチキーを識別するワンタッチキーＩＤとを対応付ける制御ステップと、
を実行させるための、プログラム。
【請求項９】
コンピュータに、
放送波を受信する受信ステップと、
前記受信ステップにおいて受信するサービスを識別するサービスＩＤと、前記受信ステップにおいて受信するサービスのうちのいずれかのサービスを選択する操作キーを識別するキーＩＤと、同一の前記キーＩＤに対応付けられた複数の前記サービスにおける前記サービスの優先順位と、を対応付けて記憶する記憶ステップと、
前記サービスを表示し、表示中の前記サービスの放送種別を選択する放送種別選択キーが操作された場合に、前記優先順位に基づいて前記サービスの一覧を表示する表示ステップと、
前記サービスの一覧から選択された前記サービスを選局する選局ステップと、
前記サービスの一覧から選択された前記サービスを識別するサービスＩＤと、ワンタッチキーを識別するワンタッチキーＩＤとを対応付ける制御ステップと、
を実行させるための、プログラム。
【発明の詳細な説明】
【技術分野】
【０００１】
本発明は、受信装置、情報処理方法、及びプログラムに関する。
【背景技術】
【０００２】
テレビジョン放送においては、地上波放送、衛星放送、専用回線を用いた映像・音声のコンテンツの放送、及びインターネット、携帯電話網などの通信ネットワークを介した動画コンテンツの配信サービスが提供されている。受信装置は、地上波放送、衛星放送、専用回線、および通信ネットワーク等からコンテンツを受信する。
また、受信装置は、リモートコントローラ装置（以下、リモコンと称する）から送信される局選択情報に基づいて、放送局を選択する。このリモートコントローラ装置は、複数（例えば１２個）の局選択キーを備えている。受信装置のユーザが、複数の局選択キーのうちの１つの局選択キーを押下することにより、受信装置は、選択された放送局のコンテンツを表示する。
【先行技術文献】
【特許文献】
【０００３】
【特許文献１】特開２００８−２２０４７号公報
【発明の概要】
【発明が解決しようとする課題】
【０００４】
ところで、近年、受信装置が受信可能な放送局の数は、リモートコントローラ装置が備える局選択キーの数を上回る場合がある。すなわち、１回の局選択キーの操作によって選局ができるワンタッチキーに割り当てられている放送局と、ワンタッチキーに割り当てがされていない放送局とがともに生じる場合がある。この場合、ワンタッチキーに割り当てられている放送局はワンタッチで選局可能である。しかし、ワンタッチキーに割り当てられていない放送局は、例えば、放送局を識別する３ケタの選局番号を局選択キー等によって入力し、選局する必要がある。
このように、ワンタッチキーキーに割り当てられている放送局とそうでない放送局とでは、ユーザの選局にかかる手間が大きく異なる。これにより、ワンタッチキーに割り当てられている放送局に比べて、そうでない放送局は、ユーザから選局されにくいことがある。さらに、新規に開局した放送局がある場合、その放送局はワンタッチキーに割り当てられていない上に、ユーザはその放送局を識別する３ケタの選局番号を知らない場合があるため、ユーザから選局されにくいことがある。また、受信装置の初期設定時あるいは出荷時に予め割り当てられているワンタッチキーは、必ずしもユーザの希望通りに割り当てられていない場合がある。
【０００５】
特許文献１に記載の放送受信装置は、リモコンのキーに割り当てられたチャンネル番号毎に複数の放送サービスを対応付けて記憶する。しかしながら、対応付けて記憶する放送サービスは関連放送サービス、すなわち、同一放送事業者による放送サービス、および、同一または類似の放送サービスである。
【０００６】
本発明は上記の点に鑑みてなされたものであり、ワンタッチキーに割り当てられていない放送局（または、サービス）への選局、およびワンタッチキーへの放送局（または、サービス）の割り当てを容易にすることができる受信装置、情報処理方法、及びプログラムを提供する。
【課題を解決するための手段】
【０００７】
（１）本発明は上記の課題を解決するためになされたものであり、本発明の一態様としては、放送波を受信する受信部と、前記受信部が受信するサービスを識別するサービスＩＤと、前記受信部が受信するサービスのうちのいずれかのサービスを選択する操作キーを識別するキーＩＤとを対応付けて記憶する記憶部と、前記サービスを表示し、表示中の前記サービスを選択する前記操作キーが操作された場合に、前記操作キーを識別する前記キーＩＤに対応付けられた前記サービスの一覧を表示する表示部と、前記サービスの一覧から選択された前記サービスを選局する選局部と、前記サービスの一覧から選択された前記サービスを識別するサービスＩＤと、ワンタッチキーを識別するワンタッチキーＩＤとを対応付ける制御部と、を備えることを特徴とする、受信装置である。
【０００８】
（２）また、本発明の一態様としては、放送波を受信する受信部と、前記受信部が受信するサービスを識別するサービスＩＤと、前記受信部が受信するサービスのうちのいずれかのサービスを選択する操作キーを識別するキーＩＤと、同一の前記キーＩＤに対応付けられた複数の前記サービスにおける前記サービスの優先順位と、を対応付けて記憶する記憶部と、前記サービスを表示し、表示中の前記サービスの放送種別を選択する放送種別選択キーが操作された場合に、前記優先順位に基づいて前記サービスの一覧を表示する表示部と、前記サービスの一覧から選択された前記サービスを選局する選局部と、前記サービスの一覧から選択された前記サービスを識別するサービスＩＤと、ワンタッチキーを識別するワンタッチキーＩＤとを対応付ける制御部と、を備えることを特徴とする、受信装置である。
【０００９】
（３）また、本発明の一態様としては、前記表示部は、新規に追加されたサービスか否かを識別可能に前記サービスの一覧を表示する、ことを特徴とする、（１）または（２）に記載の受信装置である。
【００１０】
（４）また、本発明の一態様としては、前記制御部は、番組構成情報であるＮＩＴに含まれるＲｅｍｏｔｅ＿Ｃｏｎｔｒｏｌ＿Ｋｅｙ＿ＩＤの値から取得する前記キーＩＤを前記記憶部に記憶させる、ことを特徴とする、（１）または（２）に記載の受信装置である。
【００１１】
（５）また、本発明の一態様としては、前記表示部は、前記放送種別選択キーが操作される毎に、前記優先順位の高いサービスから低いサービスへ、前記サービスの一覧を切り替える、ことを特徴とする、（２）に記載の受信装置である。
【００１２】
（６）また、本発明の一態様としては、放送波を受信する受信ステップと、前記受信ステップにおいて受信するサービスを識別するサービスＩＤと、前記受信ステップにおいて受信するサービスのうちのいずれかのサービスを選択する操作キーを識別するキーＩＤとを対応付けて記憶する記憶ステップと、前記サービスを表示し、表示中の前記サービスを選択する前記操作キーが操作された場合に、前記操作キーを識別する前記キーＩＤに対応付けられた前記サービスの一覧を表示する表示ステップと、前記サービスの一覧から選択された前記サービスを選局する選局ステップと、前記サービスの一覧から選択された前記サービスを識別するサービスＩＤと、ワンタッチキーを識別するワンタッチキーＩＤとを対応付ける制御ステップと、を有することを特徴とする、情報処理方法である。
【００１３】
（７）また、本発明の一態様としては、放送波を受信する受信ステップと、前記受信ステップにおいて受信するサービスを識別するサービスＩＤと、前記受信ステップにおいて受信するサービスのうちのいずれかのサービスを選択する操作キーを識別するキーＩＤと、同一の前記キーＩＤに対応付けられた複数の前記サービスにおける前記サービスの優先順位と、を対応付けて記憶する記憶ステップと、前記サービスを表示し、表示中の前記サービスの放送種別を選択する放送種別選択キーが操作された場合に、前記優先順位に基づいて前記サービスの一覧を表示する表示ステップと、前記サービスの一覧から選択された前記サービスを選局する選局ステップと、前記サービスの一覧から選択された前記サービスを識別するサービスＩＤと、ワンタッチキーを識別するワンタッチキーＩＤとを対応付ける制御ステップと、を有することを特徴とする、情報処理方法である。
【００１４】
（８）また、本発明の一態様としては、コンピュータに、放送波を受信する受信ステップと、前記受信ステップにおいて受信するサービスを識別するサービスＩＤと、前記受信ステップにおいて受信するサービスのうちのいずれかのサービスを選択する操作キーを識別するキーＩＤとを対応付けて記憶する記憶ステップと、前記サービスを表示し、表示中の前記サービスを選択する前記操作キーが操作された場合に、前記操作キーを識別する前記キーＩＤに対応付けられた前記サービスの一覧を表示する表示ステップと、前記サービスの一覧から選択された前記サービスを選局する選局ステップと、前記サービスの一覧から選択された前記サービスを識別するサービスＩＤと、ワンタッチキーを識別するワンタッチキーＩＤとを対応付ける制御ステップと、を実行させるための、プログラムである。
【００１５】
（９）また、本発明の一態様としては、コンピュータに、放送波を受信する受信ステップと、前記受信ステップにおいて受信するサービスを識別するサービスＩＤと、前記受信ステップにおいて受信するサービスのうちのいずれかのサービスを選択する操作キーを識別するキーＩＤと、同一の前記キーＩＤに対応付けられた複数の前記サービスにおける前記サービスの優先順位と、を対応付けて記憶する記憶ステップと、前記サービスを表示し、表示中の前記サービスの放送種別を選択する放送種別選択キーが操作された場合に、前記優先順位に基づいて前記サービスの一覧を表示する表示ステップと、前記サービスの一覧から選択された前記サービスを選局する選局ステップと、前記サービスの一覧から選択された前記サービスを識別するサービスＩＤと、ワンタッチキーを識別するワンタッチキーＩＤとを対応付ける制御ステップと、を実行させるための、プログラムである。
【発明の効果】
【００１６】
本発明によれば、ワンタッチキーに割り当てられていない放送局（または、サービス）への選局、およびワンタッチキーへの放送局（または、サービス）の割り当てを容易にすることができる。
【図面の簡単な説明】
【００１７】
【図１】第１の実施形態に係る放送システムの構成の一例を示す概略図である。
【図２】第１の実施形態に係る受信装置の機能構成の一例を示すブロック図である。
【図３】第１の実施形態に係るキー割り当て表のデータ構造の一例を示す概略図である。
【図４】第１の実施形態に係る受信装置の動作の一例を示すフローチャートである。
【図５】第１の実施形態に係る受信装置の動作の一例を示す概略図である。
【図６】第１の実施形態に係るキー割り当て表のデータ構造の一例を示す概略図である。
【図７】第１の実施形態に係るキー割り当て表のデータ構造の一例を示す概略図である。
【図８】第２の実施形態に係る受信装置の動作の一例を示すフローチャートである。
【図９】第２の実施形態に係る受信装置の動作の一例を示す概略図である。
【図１０】第１の実施形態の変形例に係る受信装置の動作の一例を示す概略図である。
【発明を実施するための形態】
【００１８】
（第１の実施形態）
本発明の第１の実施形態について、図面を参照しながら説明する。
［放送システムの構成］
まず、第１の実施形態に係る放送システム１について説明する。
図１は、第１の実施形態に係る放送システム１の構成の一例を示す概略図である。
放送システム１は、受信装置１０と、送信装置２０とを含んで構成される。放送システム１において、受信装置１０と、送信装置２０とは、それぞれ複数存在しうる。しかし、以下では説明を簡潔にするため、受信装置１０と、送信装置２０とが、それぞれ１つずつ含まれる場合について説明する。また、以下では、一例として、放送システム１が多重化方式として、ＭＰＥＧ（Ｍｏｖｉｎｇ  Ｐｉｃｔｕｒｅ  Ｅｘｐｅｒｔｓ  Ｇｒｏｕｐ）−２システムを用いる場合について説明する。
【００１９】
送信装置２０は、番組データｉ１と番組構成情報ｉ２とが多重化された放送波を送出することができる。番組構成情報ｉ２は、局選択キー（例えば、リモコンの数字ボタン）を識別するキーＩＤと放送局（または、サービス）とが対応付けられたキー割りあてデータｉ２０を含む。
【００２０】
なお、本実施形態におけるサービスとは、番組データｉ１に基づくコンテンツ（例えば、番組）である。また、放送局は、同時に複数のサービスを提供してもよい。例えば、放送局は、ニュース番組と教育番組とを同時に放送してもよい。また、同一の放送局から提供される複数のサービスには、同一のキーＩＤが対応付けられていてもよいし、異なるキーＩＤが対応付けられていてもよい。
【００２１】
番組構成情報ｉ２は、例えば、ＭＰＥＧ−２システムにおける番組構成情報であるＳＩ（Ｓｅｒｖｉｃｅ  Ｉｎｆｏｒｍａｔｉｏｎ）情報である。ＳＩ情報は、チャンネル番号、変調方式、およびガードインターバル等、送信するネットワークに関する情報を示すテーブルであるＮＩＴ（Ｎｅｔｗｏｒｋ  Ｉｎｆｏｒｍａｔｉｏｎ  Ｔａｂｌｅ）を含む。
【００２２】
キー割りあてデータｉ２０は、例えば、このＮＩＴにおいてそれぞれ定義される、キーＩＤと放送局（または、サービス）とが対応付けられたデータである。キーＩＤは、例えば、ＮＩＴにおいて定義されるＴＳ情報記述子（ＴＳ  ｉｎｆｏｒｍａｔｉｏｎ  ｄｅｓｃｒｉｐｔｏｒ）に記述される、”Ｒｅｍｏｔｅ＿Ｃｏｎｔｒｏｌ＿Ｋｅｙ＿ＩＤ”の値から取得することができる。
【００２３】
ＮＩＴ、ＴＳ情報記述子、およびＲｅｍｏｔｅ＿Ｃｏｎｔｒｏｌ＿Ｋｅｙ＿ＩＤについては、次の文献に詳しく記載されている。「デジタル放送に使用する番組配列情報  標準規格」，一般社団法人  電波産業会，２０１２年４月，ＡＲＩＢ  ＳＴＤ−Ｂ１０，４．８版。
【００２４】
送信装置２０から送信された放送波は、地上波を介して、またはケーブルのような有線伝送路を介して、または放送衛星ＢＳを介して受信装置１０に伝送される。本実施形態においては、地上波を介して放送波が伝送される場合を例として説明する。受信装置１０は、放送（地上デジタル放送）を受信する。以下では、一例として、受信装置１０とは、テレビジョン受像機（テレビ）であるとして説明する。つまり、受信装置１０とは、送信装置２０から送出された放送波を受信し、放送波に含まれる番組データｉ１を表示するテレビである。受信装置１０は、放送波に含まれる番組構成情報ｉ２を取得する。また、受信装置１０は、番組構成情報ｉ２に含まれるキー割りあてデータｉ２０を取得する。次に、受信装置１０は、取得したキー割りあてデータｉ２０に基づいて、キー割り当て表ｉ４０を更新する。
【００２５】
［受信装置の構成の概要］
ここで、受信装置１０の構成の概要について、図２および図３を参照して説明する。
図２は、第１の実施形態に係る受信装置の機能構成の一例を示すブロック図である。
図３は、第１の実施形態に係るキー割り当て表のデータ構造の一例を示す概略図である。
図２に示すように、リモコン１５から受信装置１０のリモコン受光部１２２へ通信が行われる。リモコン１５とリモコン受光部１２２との間の通信には、例えば、赤外線通信による通信方式が用いられる。このリモコン１５は、複数の操作キー（不図示）を備えている。この操作キーには、放送局を選択するため局選択キー（数字ボタン）が含まれる。本実施形態においては、リモコン１５は、１２個の局選択キーを備える場合を例として説明する。この局選択キーには、それぞれキーＩＤが付与されている。具体的には、例えば、局選択キーｋｅｙ１には、キーＩＤ”０ｘ１”が付与されている。また、例えば、局選択キーｋｅｙ２には、キーＩＤ”０ｘ２”が、局選択キーｋｅｙ３には、キーＩＤ”０ｘ３”が、局選択キーｋｅｙ４には、キーＩＤ”０ｘ４”が、それぞれ付与される。
【００２６】
次に、キー割りあて表ｉ４０について説明する。受信装置１０は、不揮発性メモリ１２０（記憶部）を備えている。この不揮発性メモリ１２０には、キー割りあて表ｉ４０が記憶されている。このキー割りあて表ｉ４０の具体例について、図３を参照して説明する。
キー割りあて表ｉ４０は、サービスＩＤとキーＩＤとを１対１に対応付けるテーブルである。具体的には、例えば、キー割りあて表ｉ４０は、サービスＩＤ”０ｘ０１”と、キーＩＤ”０ｘ１”とを対応付けて記憶する。また、例えば、キー割りあて表ｉ４０は、サービスＩＤ”０ｘ０２”とキーＩＤ”０ｘ２”、サービスＩＤ”０ｘ０３”とキーＩＤ”０ｘ３”、およびサービスＩＤ”０ｘ０４”とキーＩＤ”０ｘ４”、をそれぞれ対応付けて記憶する。
【００２７】
次に、ユーザがリモコン１５の局選択キーを操作した場合に、受信装置１０が放送局を選択する仕組みについて説明する。受信装置１０のユーザがリモコン１５の局選択キーを操作する（数字ボタンを押下する）と、リモコン１５は、操作された局選択キーのキーＩＤを、受信装置１０に送信する。受信装置１０は、リモコン１５が送信するキーＩＤを受信し、受信したキーＩＤに対応するサービスＩＤを取得する。具体的には、受信装置１０は、受信したキーＩＤを検索キーにして、図３に示すキー割りあて表ｉ４０を検索する。
【００２８】
例えば、受信装置１０が、キーＩＤ”０ｘ３”を受信した場合には、受信装置１０は、キーＩＤ”０ｘ３”を検索キーにして、キー割りあて表ｉ４０を検索する。そして、受信装置１０は、検索の結果として、サービスＩＤ”０ｘ０３”を取得する。例えば、放送局”テレビＸ”には、サービスＩＤ”０ｘ０３”が付与されている。すなわち、サービスＩＤ”０ｘ０３”とは、テレビＸを示す。受信装置１０は、リモコン１５からキーＩＤ”０ｘ３”を受信すると、複数の放送局のうちから、テレビＸを選択する。受信装置１０は、選択したテレビＸが提供するサービス（例えば、番組）を表示する。
【００２９】
［受信装置の機能構成］
次に、受信装置１０の機能構成について、再び図２を参照して説明する。
受信装置１０は、デジタル放送受信用アンテナ１０２と、デジタルチューナー部１０４と、デジタル復調部１０６と、分離部（ＤＭＵＸ（ｄｅｍｕｌｔｉｐｌｅｘｅｒ；デマルチプレクサ））１０７と、ビデオデコード／キャプチャ部１０８と、ビデオセレクタ部１０９と、ＥＰＧ／ＯＳＤ／予約処理部１１０と、オーディオデコード部１１１と、ビデオ出力変換部１１２と、オーディオセレクタ部１１３と、オーディオ出力変換部１１４と、選局部１１５と、ＲＡＭ１１６と、ＣＰＵ１１７と、表示部１１８と、スピーカ１１９と、不揮発性メモリ１２０と、通信制御部１２１と、リモコン受光部１２２と、ＩＰ放送チューナー部１２５と、を含んで構成される。
【００３０】
デジタルチューナー部１０４は、デジタル放送受信用アンテナ１０２（受信部）を介して受信するデジタルテレビ放送信号を選局するもので、選局部１１５からの選局指示に応じて受信する放送局（または、サービス）の選局をおこなう。デジタルチューナー部１０４からの受信信号は、デジタル復調部１０６にて復調され、分離部（ＤＭＵＸ）１０７に送られる。
【００３１】
ＩＰ放送チューナー部１２５は、電話回線やＬＡＮ（Ｌｏｃａｌ  Ａｒｅａ  Ｎｅｔｗｏｒｋ；構内通信網）等に接続された通信制御部１２１を介して受信するＩＰ（Ｉｎｔｅｒｎｅｔ  Ｐｒｏｔｃｏｌ；インターネットプロトコル）放送を選局するもので、選局部１１５からの選局指示に応じて受信する特定のＩＰ放送を選局し、出力を分離部（ＤＭＵＸ）１０７に送る。
【００３２】
分離部（ＤＭＵＸ）１０７は、デジタル復調部１０６またはＩＰ放送チューナー部１２５から入力された、多重化された映像データ、音声データを分離し、映像データをビデオデコード／キャプチャ部１０８に送り、音声データをオーディオデコード部１１１に送る。さらに、分離部（ＤＭＵＸ）１０７は、放送信号に含まれるＥＰＧデータ等のデータを抽出し、ＥＰＧ／ＯＳＤ／予約処理部１１０に送る。なお、分離部（ＤＭＵＸ）１０７によって抽出された放送波信号は、必要に応じてＣＰＵ１１７による書き込み制御によりＲＡＭ１１６に記録される。
【００３３】
ビデオデコード／キャプチャ部１０８は、分離部（ＤＭＵＸ）１０７によって分離された映像データをデコードしたり、映像データに含まれるビデオ情報を静止画としてキャプチャしたりする。上記ビデオデコード／キャプチャ部１０８によってデコードされた映像信号は、ビデオセレクタ部１０９に送られる。
【００３４】
ビデオセレクタ部１０９には、既に説明したとおり、デジタルチューナー部１０４からの映像信号が入力されており、また、外部入力部（図示せず）からの映像信号も入力されている。ビデオセレクタ部１０９は、これらの入力映像信号から１つの映像信号を選んで出力し、ビデオ出力変換部１１２に送る。
【００３５】
ビデオ出力変換部２１は、受信した映像データを表示部１１８に表示させるための駆動回路を含む部分であり、加算回路によって加算された、ＥＰＧ／ＯＳＤ／予約処理部２４からの電子番組表（ＥＰＧ；Ｅｌｅｃｔｒｏｎｉｃ  Ｐｒｏｇｒａｍ  Ｇｕｉｄｅ）データ、或いは、ＯＳＤ（Ｏｎ  Ｓｃｒｅｅｎ  Ｄｉｓｐｌａｙ；オンスクリーンディスプレイ）データを、ビデオセレクタ部１０９からの映像データに加えて表示部１１８に送る。表示部１１８は、送られてきた映像データを画面上に表示する。
【００３６】
オーディオデコード部１１１は、分離部（ＤＭＵＸ）１０７によって分離された音声データをデコードするものである。オーディオデコード部１１１は、デコードした音声信号をオーディオセレクタ部１１３に送る。
オーディオセレクタ部１１３では、外部入力部（図示せず）からの音声信号、および、オーディオデコード部１１１からの音声信号を受け、ビデオセレクタ部１０９で選択された映像信号に対応した音声信号を選択し、オーディオ出力変換部１１４を介して音声信号をスピーカ１１９に送る。オーディオ出力変換部１１４は、受信した音声信号をスピーカ１１９での再生に最適な信号に変換してスピーカ１１９に供給する。
【００３７】
リモコン受光部１２２は、リモコン１５からの光信号を受信して、当該リモコン１５からの制御信号を受け付けるためのものである。視聴者からの指示、例えば、後から説明する選局、放送切替、およびボタン設定等は、このリモコン１５を介して行われる。
【００３８】
ＥＰＧ／ＯＳＤ／予約処理部１１０は、定期的に更新保存されたＥＰＧデータに基づき電子番組表を作成し、また、予め決められたレイアウト情報等に基づき、画像データ、文字データ、基本図形等を組み合わせてＯＳＤデータを作成する。ＯＳＤデータとは、例えば、予め不揮発性メモリ１２０に記憶された設定メニュー画面、音量ゲージ、現在時刻、選局チャンネル等の各種情報を描画するためのデータである。また、ＥＰＧ／ＯＳＤ／予約処理部１１０は、前記の電子番組表を利用して番組の予約処理等をおこなう。
通信制御部１２１は、電話回線、ＬＡＮ、インターネット等のネットワーク網を介して通信を確立させるように制御をおこなう。
【００３９】
以上の説明では、特に、テレビ受像機を例にして述べているが、その他にも、本発明は、携帯機器、例えば、携帯電話、カーナビゲーションシステム、携帯ゲーム端末機等においてテレビを受信する場合にも適用可能である。
【００４０】
［受信装置の動作］
次に、受信装置１０の動作について、図４、図５、図６、および図７を参照して説明する。
図４は、第１の実施形態に係る受信装置１０の動作の一例を示すフローチャートである。
図５は、第１の実施形態に係る受信装置１０の動作の一例を示す概略図である。
図６は、第１の実施形態に係るキー割り当て表のデータ構造の一例を示す概略図である。
図７は、第１の実施形態に係るキー割り当て表のデータ構造の一例を示す概略図である。
図４のフローチャートに示す処理は、選局部１１５によって任意のサービスが選局され、選局されたサービスのチャンネルコールが表示部１１８に表示された場合に開始する。
【００４１】
なお、チャンネルコールとは、選局中の放送局、サービス、および選局中の放送局（または、サービス）に対応する局選択キー等が示される画面表示である。チャンネルコールは、選局された後の所定の期間（例えば、５秒間）、または選局中は常に、表示部１１８に表示される。例えば、図５の表示画面ｐａ０１に示すように、リモコン１５の局選択キー”３”が押下されることによって、局選択キー”３”に割り当てられているサービスである”ＡＡＡテレビ”の番組の映像が表示部１１８に表示される。また、表示画面ｐａ０１の右上の部分には、チャンネルコールｐａ０２が表示される。再び、図４のフローチャートに戻って説明する。
【００４２】
（ステップＳ１０１）リモコン１５の局選択キー（数字ボタン）が押下され、局選択キーに対応するキーＩＤが、リモコン１５からリモコン受光部１２２を介して選局部１１５へ入力された場合、ステップＳ１０２へ進む。そうでない場合、ステップＳ１０１に留まる。
【００４３】
（ステップＳ１０２）選局部１１５が選局したサービスに対応するキーＩＤ（すなわち、表示部１１８が表示中の番組の放送局に対応付けられたキーＩＤ）と、ステップＳ１０１において入力されたキーＩＤとが同一である場合、ステップＳ１０３へ進む。そうでない場合、ステップＳ１０６へ進む。
【００４４】
（ステップＳ１０３）ＣＰＵ１１７は、不揮発性メモリ１２０に記憶されたキー割り当て表４０を検索し、ステップＳ１０１において取得したキーＩＤと同一のキーＩＤに対応付けられたサービスＩＤの一覧を取得する。その後、ステップＳ１０４へ進む。
【００４５】
例えば、ステップＳ１０１において、操作された局選択キーが”３”であり、取得したキーＩＤが”０ｘ３”であるならば、ＣＰＵ１１７は、図６に示すキー割り当て表ｉ４０を検索し、キーＩＤが”０ｘ３”であるサービスＩＤ、および優先順位の値の一覧を取得する。すなわち、ＣＰＵ１１７は、サービスＩＤ”０ｘ０３”と優先順位”１”、サービスＩＤ”０ｘ０Ｄ”と優先順位”２”、及びサービスＩＤ”０ｘ０Ｆ”と優先順位”３”という値の一覧を取得する。再び、図４のフローチャートに戻って説明する。
【００４６】
（ステップＳ１０４）ＣＰＵ１１７は、ステップＳ１０３において取得したサービスＩＤの一覧を、優先順位が高い順に並べ替える。ＣＰＵ１１７は、ＥＰＧ／ＯＳＤ／予約処理部１１０を介して表示部１１８に、優先順位が高い順にサービス一覧を表示させる。その後、ステップＳ１０５へ進む。
【００４７】
例えば、図５に示すように、表示部１１８が表示画面ｐａ０１を表示している場合において、再びリモコン１５の局選択キー”３”が押下されると、表示部１１８は表示画面ｐａ０１から表示画面ｐｂ０１へ表示を切り替える。すなわち、表示部１１８は、チャンネルコールｐａ０２を消去し、代わりに、表示画面ｐｂ０１の右上の部分に、ボタン設定画面ｐｂ０２を表示する。ボタン設定画面ｐｂ０２は、キーＩＤが”０ｘ３”であるサービスを、優先順位が高い順番に、例えば、”ＡＡＡテレビ”、”ＢＢＢ”、および”ＣＣＣ放送”と表示する。再び、図４のフローチャートに戻って説明する。
【００４８】
（ステップＳ１０５）ユーザがリモコン１５によって、上記のサービス一覧の中から１つのサービスを選択する操作をすると、ＣＰＵ１１７は、選択されたサービスに対応するサービスＩＤを検索キーとしてサービス割りあて表ｉ４０を検索する。そして、ＣＰＵ１１７は、このサービスＩＤに紐付けられた優先順位の値を、最も優先順位が高いことを示す”１”に更新する。次に、ＣＰＵ１１７は、このサービスＩＤに紐付けられたキーＩＤを検索キーとして、サービス割りあて表ｉ４０を検索する。そして、ＣＰＵ１１７は、このキーＩＤに紐付けられた他のサービスＩＤに紐づく優先順位の値を全て取得する。ＣＰＵ１１７は、取得した優先順位の値を、優先順位の最も高いもの（値が小さいもの）から優先順位が低いものへ、”２”から順番に昇順に値を更新する（優先順位を更新する）。その後、ステップＳ１０６へ進む。
【００４９】
例えば、図５のボタン設定画面ｐｂ０２の例において、ユーザが「ＣＣＣ放送」を選択した場合、ＣＰＵ１１７が優先順位を更新した後のサービス割りあて表ｉ４０は、図７のようになる。すなわち、優先順位を更新する前のサービス割りあて表ｉ４０（図６）において、優先順位の値が”３”であるサービスＩＤ”０ｘ０Ｆ”は、優先順位を更新した後のサービス割りあて表ｉ４０（図７）においては、優先順位の値が”１”となる。また、優先順位を更新する前のサービス割りあて表ｉ４０（図６）において、優先順位の値が”１”であるサービスＩＤ”０ｘ０３”と、優先順位の値が”２”であるサービスＩＤ”０ｘ０Ｄ”は、優先順位の値が繰り下がり、それぞれ図７においては”２”および”３”となる。再び、図４のフローチャートに戻って説明する。
【００５０】
（ステップＳ１０６）ＣＰＵ１１７は、ＥＰＧ／ＯＳＤ／予約処理部１１０を介して、表示部１１８に、入力されたキーＩＤに対応するサービスのチャンネルコールを表示する。その後、ステップＳ１０７へ進む。
【００５１】
（ステップＳ１０７）選局部１１５は、入力されたキーＩＤに対応するサービスを選局する。以上で、本フローチャートの処理が終了する。
【００５２】
以上、説明したように、第１の実施形態に係る受信装置１０は、チャンネルコールｐａ０１を表示中に、チャンネルコールｐａ０１に対応するキーＩＤ（図５の例では”３”）が入力されると、ボタン設定画面ｐｂ０２を表示する。ボタン設定画面ｐｂ０２において表示されるサービス一覧の中から、ユーザによりサービスが選択されると、受信装置１０は、選択されたサービスの優先順位を最も高くする。すなわち、選択されたサービスは、ワンタッチキーに割り当てられる。これにより、ユーザは局選択キーを１回操作するだけで（数字ボタンを１回押下するだけで）選択されたサービスを選局できるようになる。
【００５３】
また、受信装置１０は、選択されたサービスの優先順位が最も高くなるように優先順位を更新するとともに、同一のキーＩＤが紐付けられた他のサービスの優先順位を繰り下げるように更新する。ユーザは、リモコン１５によって視聴中のサービスに対応する局選択キーを操作することで、同一のキーＩＤに紐付けられた放送局であって、ワンタッチキーに割り当てられていない他のサービスの一覧を、容易に表示させることができる。そしてユーザは、表示されたサービスの一覧の中からサービスを選択することにより、ワンタッチキーに割り当てられていない他のサービスを容易に選局することができる。そして、ユーザは、選局したサービスをワンタッチキーに容易に割り当てることができる。
【００５４】
以上により、第１の実施形態に係る受信装置１０は、ワンタッチキーに割り当てられていない放送局（または、サービス）への選局、およびワンタッチキーへの放送局（または、サービス）の割り当てを容易にすることができる。
【００５５】
（第１の実施形態の変形例）
次に、第１の実施形態の変形例について、図１０を参照して説明する。
図１０は、第１の実施形態の変形例に係る受信装置１０の動作の一例を示す概略図である。本変形例は、新規に放送局が開局（または、新規サービスは開始）した場合を対象とした例である。
【００５６】
デジタルチューナー部１０４が、新規に開局した放送局（または、新規に開始したサービス）を検知した場合、表示部１１８は、チャンネルコールを表示する場合において、新規に放送局が開局（または、新規サービスが開始）したことユーザに通知するための情報を、チャンネルコールに含める。なお、新規に開局した放送局（または、新規サービス）に紐付けられたキーＩＤと同一のキーＩＤが紐付けられた放送局（または、サービス）のチャンネルコールを表示する場合において、表示部１１８は、新規に放送局が開局（または、新規サービスが開始）したことを示す情報を表示する。
【００５７】
図１０に示す例においては、表示画面ｐａ２１には、キーＩＤとして”３”が紐付けられた放送局”ＡＡＡテレビ”のチャンネルコールｐａ２２が表示されている。そして、ｐａ２２の下部には「新しいチャンネルが追加されました。”３”でボタン設定。」という文言からなる、新規に放送局が開局（または、新規サービスが開始）したことを示す情報が表示されている。ここで、局選択キー”３”が操作されると、表示部１１８は、チャンネルコールｐａ２２を消去し、ボタン設定画面ｐｂ２２を表示する。ボタン設定画面ｐｂ２２に表示されるサービス一覧において、新規に開局した放送局（または、新規サービス）の名称の欄の左側には、「Ｎｅｗ」というマークが表示される。図１０の例においては、「ＣＣＣ放送」が新規に開局した放送局であることを示す。
【００５８】
以上、説明したように、第１の実施形態の変形例に係る受信装置１０は、チャンネルコールｐａ２２において、新規に放送局が開局（または、新規サービスが開始）したことを示す情報を表示する。ここで、チャンネルコールｐａ２２に対応するサービスの局選択キー（図１０の例では”３”）が操作されると、表示部１１８は、ボタン設定画面ｐｂ２２を表示する。ボタン設定画面ｐｂ２２において表示されるサービス一覧は、新規に開局した放送局（または、新規サービス）をユーザが認識可能に表示される。
【００５９】
これにより、ユーザは、新規に開局した放送局（または、新規サービス）を容易に知ることができる。そしてユーザは、表示された放送局（または、サービス）の一覧の中から、新規に開局した放送局（または、新規サービス）を選択することにより、新規に開局した放送局（または、新規サービス）を容易に選局することができる。また、ユーザは、新規に開局した放送局（または、新規サービス）をワンタッチキーに容易に割り当てることができる。
【００６０】
以上により、第１の実施形態の変形例に係る受信装置１０は、新規に開局した放送局（または、新規サービス）への選局、および新規に開局した放送局（または、新規サービス）のワンタッチキーへの割りあてを容易に行うことができる。
【００６１】
（第２の実施形態）
［受信装置の動作］
次に、第２の実施形態の受信装置１０の動作について、図８および図９を参照して説明する。
図８は、第２の実施形態に係る受信装置１０の動作の一例を示すフローチャートである。
図９は、第２の実施形態に係る受信装置１０の動作の一例を示す概略図である。
図８のフローチャートに示す処理は選局部１１５によって、任意の放送種別（地上デジタル放送、ＢＳデジタル放送、およびＣＳデジタル放送等）の放送局（または、サービス）が選局され、選局された放送局（または、サービス）が表示部１１８に表示された場合に開始する。
【００６２】
なお、以下に示す例においては、地上デジタル放送（地上Ｄ）のサービスが選局される場合について説明する。例えば、図９の表示画面ｐａ０１に示すように、リモコン１５の放送種別選択キー”地上Ｄ”が操作されると、地上デジタル放送の中で最後に選局されたサービスである”ＡＡＡテレビ”の番組の映像が表示部１１８に表示される。また、表示画面ｐａ０１の右上の部分には、チャンネルコールｐａ０２が表示される。再び、図８のフローチャートに戻って説明する。
【００６３】
（ステップＳ２０１）リモコン１５の放送種別選択キー（例えば、”地上Ｄ”ボタン）が操作され、操作された放送種別選択キーを識別する放送種別ＩＤが、リモコン１５からリモコン受光部１２２を介して選局部１１５へ入力された場合、ステップＳ２０２へ進む。そうでない場合、ステップＳ２０１に留まる。
【００６４】
（ステップＳ２０２）選局部１１５が選局している放送局の放送種別に対応する放送種別ＩＤ（すなわち、表示部１１８が表示中の番組の放送局の放送種別の放送種別ＩＤ）と、ステップＳ１０１において入力された放送種別ＩＤとが同一である場合、ステップＳ２０３へ進む。そうでない場合、ステップＳ２１２へ進む。
【００６５】
（ステップＳ２０３）ＣＰＵ１１７は、不揮発性メモリ１２０に記憶されたキー割り当て表４０を検索する。これにより、ＣＰＵ１１７は、ステップＳ２０１において取得した放送種別ＩＤが示す放送種別に対応するサービスＩＤの中で、各１２個の選局ボタンそれぞれについて優先順位が最も高い（優先順位の値が”１”である）サービスＩＤの一覧を取得する。その後、ステップＳ２０４へ進む。
【００６６】
例えば、図６に示すキー割り当て表４０が、ステップＳ２０１において取得した放送種別ＩＤに対応するサービスＩＤの一覧であるならば、優先順位の値が”１”である”０ｘ０１”、”０ｘ０２”、”０ｘ０３”、・・・、”０ｘ０Ｃ”の１２個のサービスＩＤが取得される。再び、図８のフローチャートに戻って説明する。
【００６７】
（ステップＳ２０４）ＣＰＵ１１７は、取得したサービスＩＤの一覧に基づいて、ＥＰＧ／ＯＳＤ／予約処理部１１０を介して、表示部１１８にサービス一覧を表示させる。その後、ステップＳ２０５へ進む。
【００６８】
例えば、図９に示すように、例えば、放送種別選択キー”地上Ｄ”が操作されることによって、表示画面ｐａ１１が表示される。表示画面ｐａ１１には、地上デジタル放送の中で最後に選局されたサービスである”ＡＡＡテレビ”の番組の映像と、右上の部分にはそのサービスのチャンネルコールｐａ１２が表示される。チャンネルコールｐａ１２が表示されている場合において、そのチャンネルコールｐａ１２が示すサービスの放送種別と同一の放送種別の放送種別選択キーが操作されると（すなわち、図９の例においては放送種別選択キー”地上Ｄ”が操作されると）、選局画面ｐｂ１２が表示される。選局画面ｐｂ１２には、各選局ボタンの優先度が最も高いサービスがそれぞれ表示される。再び、図８のフローチャートに戻って説明する。
【００６９】
（ステップＳ２０５）ここで、選局画面ｐｂ１２に対応する放送種別と同一の放送種別の放送種別選択キーが操作された場合には、ステップＳ２０６へ進む。そうでない場合は、ステップＳ２０７へ進む。
【００７０】
（ステップＳ２０６）ＣＰＵ１１７は、不揮発性メモリ１２０に記憶されたキー割り当て表４０を検索する。これにより、ＣＰＵ１１７は、ステップＳ２０１において取得した放送種別ＩＤに対応するサービスＩＤの中で、各１２個の選局ボタンそれぞれの優先順位が、１つ下位の順位であるサービスＩＤの一覧を取得する。すなわち、選局画面ｐｂ１２に表示されているサービス一覧が、優先順位が”１”のサービスの一覧であるならば、各選局キーの優先順位がそれぞれ”２”であるサービスのサービスＩＤの一覧を取得する。その後、ステップＳ２０４へ戻る。
【００７１】
（ステップＳ２０７）ここで、選局画面ｐｂ１２に対応する放送種別と異なる放送種別の放送種別選択キーが操作された場合には、ステップＳ２１２へ進む。そうでない場合は、ステップＳ２０８へ進む。
【００７２】
（ステップＳ２０８）ここで、局選択キー（例えば、リモコン１５の数字ボタン）が操作された場合は、ステップＳ２０９へ進む。そうでない場合は、ステップＳ２０５へ戻る。
【００７３】
（ステップＳ２０９）ユーザがリモコン１５によって、上記のサービス一覧の中から１つのサービスを選択する操作をすると、ＣＰＵ１１７は、選択されたサービスに対応するサービスＩＤを検索キーとしてサービス割りあて表ｉ４０を検索する。そして、ＣＰＵ１１７は、このサービスＩＤに紐付けられた優先順位の値を、最も優先順位が高いことを示す”１”に更新する。次に、ＣＰＵ１１７は、このサービスＩＤに紐付けられたキーＩＤを検索キーとして、サービス割りあて表ｉ４０を検索する。そして、ＣＰＵ１１７は、このキーＩＤに紐付けられた他のサービスＩＤの優先順位の値を全て取得する。ＣＰＵ１１７は、取得した優先順位の値を、優先順位の最も高いもの（値が小さいもの）から低いものへ、”２”から順番に昇順に値を更新する（優先順位を更新する）。その後、ステップＳ２０９へ進む。
【００７４】
（ステップＳ２１０）ＣＰＵ１１７は、ＥＰＧ／ＯＳＤ／予約処理部１１０を介して、表示部１１８に、入力されたキーＩＤに対応するサービスのチャンネルコールを表示する。その後、ステップＳ２１０へ進む。
【００７５】
（ステップＳ２１１）選局部１１５は、入力されたキーＩＤに対応するサービスを選局する。以上で、本フローチャートの処理が終了する。
【００７６】
（ステップＳ２１２）表示部１１８は、操作された放送種別選択キーが示す放送種別のサービス中で、最後に選局されたサービスのチャンネルコールを表示する。その後、ステップＳ２１３へ進む。
【００７７】
（ステップＳ２１３）選局部１１５は、操作された放送種別選択キーが示す放送種別のサービス中で、最後に選局されたサービスを選局する。以上で、本フローチャートの処理が終了する。
【００７８】
以上、説明したように、第２の実施形態に係る受信装置１０は、チャンネルコールｐａ１２を表示中に、チャンネルコールｐａ１２が示す番組の放送種別に対応する放送種別選択キー（図９の例では、放送種別選択キー”地上Ｄ”）が操作されると、選局画面ｐｂ１２を表示する。選局画面ｐａ１２には、まず、選局ボタン毎に、優先順位が最も高い（優先順位の値が”１”である）サービスの一覧が表示される。ここで、更に同一の放送種別選択キーが操作されると、選局画面ｐａ１２には、選局ボタン毎に、１つ下位の優先順位である（優先順位の値が”２”である）サービスの一覧を表示する。以降、更に同一の放送種別選択キーが操作される度に、さらに１つ下位の優先順位のサービスの一覧が表示される。
【００７９】
そして、選局画面ｐｂ１２において表示されるサービス一覧の中から、ユーザによりサービスが選択されると、受信装置１０は、選択されたサービスをワンタッチキーに割り当てる。また、受信装置１０は、選択されたサービスの優先順位が最も高くなるように優先順位を更新し、同一のキーＩＤが紐付けられた他のサービスの優先順位を繰り下げるように更新する。
【００８０】
これにより、ユーザは、リモコン１５によって、視聴中の番組の放送種別に対応する放送種別選択キーを操作することで、同一のキーＩＤに紐付けられたサービスであって、ワンタッチキーに割り当てられていない他のサービスの一覧を、容易に表示させることができる。そしてユーザは、表示されたサービスの一覧の中からサービスを選択することにより、ワンタッチキーに割り当てられていない他のサービスを容易に選局することができる。そして、ユーザは、選局したサービスをワンタッチキーに容易に割り当てることができる。
【００８１】
以上により、第２の実施形態に係る受信装置１０は、ワンタッチキーに割り当てられていない放送局（または、サービス）への選局、およびワンタッチキーへの放送局（または、サービス）の割り当てを容易にすることができる。
【００８２】
以上、この発明の実施形態について詳しく説明してきたが、具体的な構成は上述のものに限られることはなく、この発明の要旨を逸脱しない範囲内において様々な設計変更等をすることが可能である。
【００８３】
なお、上述した実施形態における受信装置１０の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００８４】
なお、ここでいう「コンピュータシステム」とは、受信装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００８５】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００８６】
また、上述した実施形態における受信装置１０、を、ＬＳＩ（Ｌａｒｇｅ  Ｓｃａｌｅ  Ｉｎｔｅｇｒａｔｉｏｎ）等の集積回路として実現してもよい。受信装置１０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００８７】
１・・・放送システム、１０・・・受信装置、１５・・・リモコン、２０・・・送信装置、１０２・・・デジタル放送受信用アンテナ、１０４・・・デジタルチューナー部、１０６・・・デジタル復調部、１０７・・・分離部（ＤＭＵＸ）、１０８・・・ビデオデコード／キャプチャ部、１０９・・・ビデオセレクタ部、１１０・・・ＥＰＧ／ＯＳＤ／予約処理部、１１１・・・オーディオデコード部、１１２・・・ビデオ出力変換部、１１３・・・オーディオセレクタ部、１１４・・・オーディオ出力変換部、１１５・・・選局部、１１６・・・ＲＡＭ、１１７・・・ＣＰＵ、１１８・・・表示部、１１９・・・スピーカ、１２０・・・不揮発性メモリ、１２１・・・通信制御部、１２２・・・リモコン受光部、１２５・・・ＩＰ放送チューナー部、ｉ１・・・番組データ、ｉ２・・・番組配列情報、ｉ２０・・・キー割り当てデータ、ｉ４０・・・キー割りあて表、ｐａ０１・・・表示画面、ｐａ０２・・・表示画面、ｐｂ０１・・・チャンネルコール、ｐｂ０２・・・ボタン設定画面、ｐａ１１・・・表示画面、ｐａ１２・・・表示画面、ｐｂ１１・・・チャンネルコール、ｐｂ１２・・・選局画面、ｐａ２１・・・表示画面、ｐａ２２・・・表示画面、ｐｂ２１・・・チャンネルコール、ｐｂ２２・・・ボタン設定画面
【図１】
2017038220.tif 000003
【図２】
2017038220.tif 000004
【図３】
2017038220.tif 000005
【図４】
2017038220.tif 000006
【図５】
2017038220.tif 000007
【図６】
2017038220.tif 000008
【図７】
2017038220.tif 000009
【図８】
2017038220.tif 000010
【図９】
2017038220.tif 000011
【図１０】
2017038220.tif 000012